(57)【特許請求の範囲】
【請求項１】
ケース本体内に収納した駆動手段により駆動される施療体を具備し、同施療体を覆うカバーを取り付け、同カバーを固定用リングにより固定するとともに、同固定用リングを、ケース本体の背面側から着脱可能としたマッサージ器において、
前記ケース本体を、上ケースと下ケースとを接合して形成し、両ケースを接合するためのビスを挿通するボスを下ケースに複数個突設するとともに、これらのうち、一部のボスの高さを、他のボスよりも背高に形成して前記カバーの固定用リングを固定するボスとし、前記固定用リングをケース本体にビスを介して取り付けて、同ビスの着脱をケース本体の背面側から行えるようにし、しかも、前記固定用リングに形成したビス止め用ボス部を、前記上ケースの施療部に形成したビス挿通部に係合させて回り止めとして機能するようにしたことを特徴するマッサージ器。
【発明の詳細な説明】
【０００１】
【発明の属する技術分野】
この発明は、マッサージ器に関するものである。
【０００２】
【従来の技術】
従来、図３０に示すようなマッサージ器Ｘがあった。
【０００３】
図示するように、マッサージ器Ｘは、ケース本体ｃ内に配設した１個のモータｍにウォームｗを連結し、同ウォームｍを介して回転する軸療軸a,a に揉み玉ｂを取り付け、同揉み玉ｂをカバーｄで被覆した構成としており、図示しないスイッチ操作によりモータを起動させて回転する揉み玉ｂによって患部をマッサージするようにしていた。
【０００４】
【発明が解決しようとする課題】
ところが、上記した従来のマッサージ器Ｘは、図示するように、揉み玉ｂを被覆するカバーｄをケース本体１内よりビスｅで固定しているが、これではビスｅはケース本体１の内部からしか取り外せないことになり、ケース本体ｃを分解しなければならなかった。
【０００５】
特に、図示するような従来のマッサージ器Ｘのカバーｄはさほど丈夫ではないので、揉み玉ｂとの摩擦によって破れ易く、カバーｄの固定が上記のようなものでは、破れた際のカバーｄの交換に手間がかかることになって、作業性がきわめて悪いものとなっていた。
【０００６】
本発明は、上記課題を解決することのできるマッサージ器を提供することを目的としている。
【０００７】
【課題を解決するための手段】
上記課題を解決するために、この発明では、ケース本体内に収納した駆動手段により駆動される施療体を具備し、同施療体を覆うカバーを取り付け、同カバーを固定用リングにより固定するとともに、同固定用リングを、ケース本体の背面側から着脱可能としたマッサージ器において、前記ケース本体を、上ケースと下ケースとを接合して形成し、両ケースを接合するためのビスを挿通するボスを下ケースに複数個突設するとともに、これらのうち、一部のボスの高さを、他のボスよりも背高に形成して前記カバーの固定用リングを固定するボスとし、前記固定用リングをケース本体にビスを介して取り付けて、同ビスの着脱をケース本体の背面側から行えるようにし、しかも、前記固定用リングに形成したビス止め用ボス部を、前記上ケースの施療部に形成したビス挿通部に係合させて回り止めとして機能するようにした。したがって、カバーの固定手段の着脱がきわめて容易に行えることになり、カバーが破れたりした場合の交換作業がスピーデイに行える。
【００１２】
【発明の実施の形態】
以下、本発明に係るマッサージ器の好ましい実施の形態について以下に説明する。
【００１３】
本実施形態に係るマッサージ器は、ケース本体内に収納した駆動手段により駆動される施療体を具備し、同施療体を覆うカバーを取り付け、同カバーを固定用リングにより固定するとともに、同固定用リングを、ケース本体の背面側から着脱可能としたマッサージ器において、前記ケース本体を、上ケースと下ケースとを接合して形成し、両ケースを接合するためのビスを挿通するボスを下ケースに複数個突設するとともに、これらのうち、一部のボスの高さを、他のボスよりも背高に形成して前記カバーの固定用リングを固定するボスとし、前記固定用リングをケース本体にビスを介して取り付けて、同ビスの着脱をケース本体の背面側から行えるようにし、しかも、前記固定用リングに形成したビス止め用ボス部を、前記上ケースの施療部に形成したビス挿通部に係合させて回り止めとして機能するようにしたものである。
【００１４】
すなわち、固定用リングの着脱を表側からは行えないようにして一般の使用者がいたずらにカバーを取り外せないようにするとともに、カバーが破れたりした場合にそのまま使用することは危険なので、必要時には容易に固定用リングを取り外せるようにしている。
【００１５】
したがって、実際に必要なときには、ケース本体の裏面側から容易に固定用リングを外してカバーを取り出すことができ、カバーが破れたりした場合の交換作業はスピーデイに行え、何ら支障をきたすことがない。
【００１６】
施療体としては、モータ等の駆動手段により回転する回転式のものが好適に用いられる。
【００１７】
また、カバーは、内布と外布とからなる二重張りとし、内布を外布よりも摩擦係数の小さな素材で形成したものを用い、形状的には円形として、周縁部に市販の締結具を通して絞り、施療体を覆うドーム状に形成するとよい。
【００２０】
すなわち、ケース本体を、上ケースと下ケースとを接合して形成し、両ケースを接合するための接合手段であるビスを挿通するボスを下ケースに複数個突設するとともに、これらのボスの一部を他のボスよりも背高のボスとし、この固定用リングを固定するボスのボス孔から着脱手段としてのビスの着脱を行えるように構成するものである。
【００２１】
上記した構成とすることにより、本発明に係るマッサージ器は、施療体を被覆するカバーの交換等のメンテナンスが容易となり、しかも、カバーの耐久性が向上した高品質のものとなる。
【００２２】
【実施例】
以下、図面にもとづき本発明の実施例を説明する。
【００２３】
図１は本実施例に係るマッサージ器Ａの平面図、図２は同背面図、図３は同正面図、図４は同側面図、図５は同分解斜視図、図６は図１のＩ−Ｉ線における断面図、図７は図１のＩＩ−ＩＩ線における断面図である。
【００２４】
図１〜図７に示すように、マッサージ器Ａは、一対の把手部10,10 を有する小型のケース本体１内に駆動手段となるギヤドモータＭやその他の部品等を収納配設して手軽に持ち運びができるよう構成されている。
【００２５】
ケース本体１は、左右側部にアーチ状の把手構成部10a,10a を形成した半割り状の上ケース11と下ケース12とから構成されており、両ケース11,12 により内部に略矩形形状の部品収納空間Ｑ（図６）が形成されている。
【００２６】
また、ケース本体１に設けた左右の把手10,10 のグリップ中心10',10' を結ぶ線上であって、上ケース11の表面には揉み玉となる２個の回転式施療体（以下施療体とする）2,2 を有する施療部Ｂが設けられている。
【００２７】
すなわち、上ケース11の上面中央部分を湾曲状になだらかに膨出させ、この膨出部の裏側に、前記ギヤドモータＭを２個並設するとともに、同モータＭの各減速ギヤ軸M1を、それぞれ膨出部側に突出し、各軸M1に施療体２を連結して、それぞれがギヤドモータＭにより独立して駆動する施療部Ｂを構成している。
【００２８】
図８に上ケース11の内面を示す。
【００２９】
図示するように、独立したギヤドモータＭがケース本体１の中央を水平方向に伸延する仮想直線Ｌ上に一定間隔をあけて並設されている。そして、この仮想直線Ｌは、前記した左右の把手10,10 のグリップ中心10',10' を結ぶ線と略等しいので、ギヤドモータＭ、施療体2,2 、把手10,10 のグリップ中心10',10' とは同一直線上に位置することになる。
【００３０】
また、ギヤドモータＭは、ケース本体１内に収納されている部品類の中では最重量物となっているので、本マッサージ器Ａは、重量物であるギヤドモータＭの各重心と、前記施療体2,2 の回転軸心となる減速ギヤ軸M1と、把手10のグリップ中心10' とが略同一直線上に位置することになって、重量バランスが向上して取り扱いやすいコンパクトなものとなり、しかも、把手10,10 を持ってマッサージする場合、力を加えるとその力が施療体2,2 から患部に直接伝わるので押圧力の調整が行いやすく、所望するマッサージ効果を得ることができる。
【００３１】
また、上ケース11において、前記施療部Ｂを設けた膨出部の上下には、左右の把手部10,10 間にかけてそれぞれ凹部13,13 が形成されており、同凹部13,13 の裏側となる位置には、マッサージ器Ａの作動を制御する制御用基板を二分割した二つの基板3a,3b が配設されており、連結ケーブル４で接続されている。すなわち、図８に示すように、両基板3a,3b は２個のギヤドモータＭを挟むように、前記仮想直線Ｌに対して線対称状に配設されており、ケース本体１の部品収納空間Ｑ内にデッドスペースをつくることなく、ケース本体１をより小型化しやすくしている。
【００３２】
そして、分割された各基板3a,3b は、略同重量としており、前述した重量バランスをより均等に保てるようにしている。
【００３３】
また、両基板3a,3b のうち、一方の基板3bには、押しボタン式の電源スイッチ５と、制御スイッチとしてスライド式の強弱切換スイッチ６とを配設している。
【００３４】
なお、本実施例では、強の場合は12Ｖ、弱の場合は10Ｖの電圧でギヤドモータＭを駆動させるようにしている。
【００３５】
一方、下ケース12は、その内面に上ケース11を連結する接合用ボス14を複数個立設しており（図５）、その中で、前記施療体２の後述するカバー21の固定を兼用する兼用ボス14a を、略正三角形を形作るようにそれぞれ設け、しかも、同ボス14a は、前記接合用ボス14よりも背高に形成して（図６）、ドライバー等を挿入したときや外部から見たときに施療体２のカバー固定用であることを容易に識別可能としている。
【００３６】
本実施例では、このように比較的に背高の接合用ボス14を、上ケース11ではなく下ケース12に設けているので、ギヤドモータＭを上ケース11に取り付ける際に邪魔になることがない。なお、ギヤドモータＭは、図５に示すように、上ケース11の内側に、ビス17''により同上ケース11の上方から連結固定されている。
【００３７】
また、下ケース12には、図２及び図３に示すように、上ケース11と突き合わされて側壁部分を形成する立ち上がり部に、前記電源スイッチ５と強弱切換スイッチ６とにそれぞれ対応する電源スイッチ操作片5aと強弱切換スイッチ操作片6aとを着脱自在に設けている。50,60 は両操作片5a,6a を設けるための操作片用凹部である。
【００３８】
このように、上ケース11にはギヤドモータＭや制御用の基板3a,3b を配設し、下ケース12には前記基板3bに配設した電源スイッチ５や強弱切換スイッチ６の操作片5a,6a を配設しているので、操作片5a,6a が破損した場合等は上・下ケース11,12 を分解して容易に交換することができ、また、スイッチ5,6 は上ケース11の開口側に露呈しているので動作確認も容易に行うことができる。
【００３９】
また、図２に示すように、上記した凹部50,60 の対向する箇所には、ACアダプタ接続用凹部15を大きな湾曲状に形成しており、ケース本体１の中心近傍となる凹部15の周壁底部に、コード接続部としての電源端子15a を設けている（図５参照）。かかるACアダプタ接続用凹部15は、下ケース12の側壁側にも開口しているので、コードJ1をケース本体１の裏面に重なることなく延出させることができ、邪魔になることがなく、また、把手10を持って回転させたりしたときに、回転半径が小さい分電源端子15a にかかる負担も小さくなる。さらに、本実施例のようにアダプタＪを利用する場合は、プラグJ2の着脱も容易となる。
【００４０】
図２において、16,16 は帯状のスリップ防止体であり、ACアダプタ接続用凹部15と前記操作片用凹部50,60 との間に、所定間隔をあけて対向状態に配設している。なお、図２中、17はケース連結用ビスである。
【００４１】
また、図１〜図８から明らかなように、本実施例に係るケース本体１は上下左右それぞれに略線対称となるように形成されており、しかも、上ケース11と下ケース12とを接合するための複数の接合用ボス14や前記施療体２の固定を兼用するボス14a についても、ケース本体１の中心線に対して略線対称に設けている。
【００４２】
したがって、マッサージ器Ａを上下逆さまに持つ等、使う姿勢が自由になり、使い勝手が向上するとともに、外観上もすっきりとした商品イメージとなり、商品力を向上させることができる。
【００４３】
また特に、各ボス14,14aをケース本体１の中心線に対して略線対称に位置するように設けると、マッサージ器Ａの把手10,10 を持ちながら、患部に施療体２を押圧させて使用する際に、ケース本体１にかかる力が偏らずに均等となり，歪みやきしみなどを防ぐことができる。
【００４４】
次に、施療部Ｂに設けた施療体２について説明すると、２個の施療体２は、それぞれ図１、図３〜図７に示すように、駆動源である独立したギヤドモータＭの各減速ギヤ軸M1に連結される指圧用回転体20と、同回転体20を覆うカバー21と、同カバー21の固定用リング22とから構成されている。
【００４５】
各施療体２をそれぞれ独立したギヤドモータＭにより駆動させるようにしているので、ウォームギヤ等を介して駆動させる構成に比べ、ケース本体１にコンパクトにレイアウトできるようになっている。
【００４６】
さらに、ギヤドモータＭを独立させたことにより、一方に力が加わっても他方には影響がないので使用感が良好なものとなる。例えば１個のモータを使用し、ウォームギヤ等を介して２個の施療体を駆動させる構造では、一方に力を加え過ぎると両方とも回転速度が遅くなってしまうからである。
【００４７】
図６及び図７において、ＨはギヤドモータＭのギヤケースＥの周囲を囲繞する遮音壁であり、上ケース11に一体成形されている。同遮音壁Ｈによって、金属製のギヤケースＥ内に設けた減速ギヤの駆動音を遮音してマッサージ器Ａの静粛性を向上させている。
【００４８】
また、減速ギヤ軸M1に連結された指圧用回転体20は、強度があって滑りのよいポリアセタール樹脂で形成されており、図６、図７〜図１０に示すように、平面視略三角形形状の水平回転する台座部23上に３個のボール24を取り付けて構成され、図５及び図６に示す施療体受け部12a 上に配設されている。12b は施療体受け部12a を囲繞するように形成した仕切壁、12c はカバー載置部である。
【００４９】
なお、各ボール24は、前記台座部23に形成した３個のボール受け部25に、少なくとも頂部が露出した状態で、しかも、回転自在でかつ脱落しないように嵌入されている。
【００５０】
そして、台座部23の中央に形成した連結用ボス部26に、Ｄカットした減速ギヤ軸M1を挿通し（図５）、一般のビス27とナット28とで固定している。かかる構成とすることにより、組付工程も簡略化され、製造コストの低減が図れる。
【００５１】
また、患部がボール24に斜め方向からでも円滑に当接するように、ボール受け部25には上端側から外側に斜め下方へ向けて切削して切削端部25a を形成している。
【００５２】
さらに、３個のボール24は、高、中、低の高さ違いに取り付けており、かつ、高い順に、台座部23の中心に近接させて構成している（図９）。すなわち、ボール受け部25を、台座部23の中心に対する距離がそれぞれ異なるようにしているもので、高い位置にあるボール受け部25を、最も近接させ、低い位置にあるボール受け部25を最も離隔させている。
【００５３】
上記構成としたことにより、左右の指圧用回転体20を回転させると、患部を押し上げる押圧サイクルと押圧力を解除する押圧解除サイクルとを繰り返すことになり、押圧力の落差が大きな、強弱のある指圧効果を得ることができ、しかも、手足や首、背中等、身体の凹部分にもいずれかのボール24が追随することになって、確実に指圧することができる。
【００５４】
さらには、台座部23の中心と各ボール24との距離が異なっているので、指圧用回転体20の回転によって各ボール24は半径の異なる同心円上を回転することになり、指圧半径が広くなって指圧面積を拡大することができる。
【００５５】
また、指圧用回転体20は、図５に示すようなカバー21により被覆されている。
【００５６】
すなわち、カバー21は、図１３に示すように二重張りとしており、外布21' は丈夫で肌触りのよい生地で、ナイロン88％、ポリウタン12％を混合して編んだものが使用され、内布21''には滑りがよく、ボール24との摩擦でも容易に破れたりすることのない生地で、ポリエステル80％、ポリウレタン20％を混合して編んだものを使用している。
【００５７】
そして、図１１に示すように、カバー21は円形に裁断された外・内布21',21''の周縁近傍を縫合して締結具挿通路21a を形成し、同挿通路21a 内に締結具21b を挿通して絞ることにより、図５及び図１２に示すようなドーム状に成形している。
【００５８】
かかるカバー21によって、指圧用回転体20の円滑な回転を確保しつつ、使用者が誤って指等を指圧用回転体20に突っ込んで怪我したりすることを防止することができる。
【００５９】
上記したカバー21は、図５及び図６に示すように、固定用リング22で上ケース11に挟持されており、同固定用リング22は、リング止用ビス17'により、下ケース12の裏面側から着脱自在と取り付けられている。
【００６０】
すなわち、固定用リング22は、図１４及び図１５に示すように、カバー21で被覆された指圧用回転体20を露出させる孔部22a を中央に設けたキャップ状に形成され、周壁22b 部分を上ケース11の施療部Ｂに形成したリング状溝部18に嵌合して取り付けられている。
【００６１】
そして、下ケース12の裏面側から、接合用ボス14よりも背高に形成した兼用ボス14a から、固定用リング22は周壁部22b の内側面に形成したビス止め用ボス部22c にリング止用ビス17' によって螺着している（図２、図５、図６参照）。
【００６２】
このように、カバー21を固定用リング22により固定するとともに、同固定用リング22をケース本体１の背面側から着脱可能としているので、着脱作業がきわめて容易であり、例えば、カバー21が破れたりした場合でもその交換作業がスピーデイに行え、メンナンス性に優っている。
【００６３】
しかも、リング止用ビス17' が上・下ケース11,12 の接合も兼ねることから、ケース本体１の接合強度を高めることができる。
【００６４】
また、固定用リング22は、その取付状態にあっては、周壁部22b の内側面に形成した前記ビス止め用ボス部22c が、図５及び図６に示すように、前記リング状溝部18からカバー載置部12c を切削するようにして形成したビス挿通部12d に係合して回り止めとして機能するようにしている。
【００６５】
そして、孔部22a の周縁部分をやや下方に突出させた噛込部22d と施療体受け部12a 周りに形成した前記仕切壁12b の先端部分との間でカバー21を挟圧支持している（図６）。
【００６６】
さらに、固定用リング22の内面側には、周方向に沿って多数のリブ22e が形成されており、また、各リブ22e には、孔部22a 側から矩形状に切欠された切削段差部22e'が設けられ、図６に示すように、各リブ22e の下面で前記カバー21の周縁部をカバー載置部12c に強く押圧している。しかも、リブ22e は固定用リング22の内周面に多数形成されていることから、カバー21の押圧力が大きく、カバー21がずれることを防止している。
【００６７】
さらに、各切欠部分22f で前記締結具21b の膨らみを逃がしているので、施療体２の回転摩擦によりカバー21に若干の捩れが生じた場合でも、この多数のリブ22e の切欠部分22f で吸収することができるので、カバー21の破損を防止することができる。
【００６８】
さらに、リング状溝部18からカバー載置部12c を切削するようにして形成した切欠部12h （図５参照）は、施療体２の回転によって掻き出されるカバー21内部の塵、特にカバー21からの糸くず等を溜めることができもので、内部の清掃を容易にすることができる。
【００６９】
また、本実施例に係るマッサージ器Ａは、図１６及び図１７に示す回路構成として、１個のギヤドモータＭに過負荷がかかると２個のギヤドモータＭともに停止するように構成している。なお、図１６は二つの基板3a,3b のうちのスイッチ側基板3aの回路を示し、図１７は電源側基板3bの回路を示している。また、同回路をブロック図として図１８に示した。
【００７０】
すなわち、上記回路に、各ギヤドモータＭにかかった過負荷を過電流として検出する過電流検出回路７を設け、いずれかのギヤドモータＭにおいて過電流を検出すると両方のモータM,M が停止するようにしている。
【００７１】
そして、回路中に制御部8aとタイマー8bを設けて接続し、マッサージ器Ａが駆動して15分経過すると、タイマー8bがアップし、制御部8aが全体をリセットさせるように構成するとともに、過電流検出回路７からなる検知部が過電流を検出すると、タイマー8bが強制的にアップされ、制御部8aが全体をリセットするようにしている。なお、過電流検出回路７は、ギヤドモータＭの過電流を電流電圧変換するための抵抗値0.5 Ωの抵抗8fとその信号を10倍に増幅するアンプ8cとコンパレータ8dとから構成されている。
【００７２】
すなわち、無負荷状態におけるアンプ8cへの入力回路には0.1Aの電流が流れるが、通常の負荷状態、例えば施療部Ｂに足等を載置した場合では0.2 〜0.3Aの電流値となり、さらに、ギヤドモータＭを停止させなければならない異常負荷時には0.5A程度の電流値となる。
【００７３】
電流電圧変換するための抵抗8fの抵抗値は0.5 Ωなので、電圧は無負荷時では0.05V であり、負荷状態では0.1 〜0.15V 、そして異常負荷時には、0.25V となる。かかる値では小さ過ぎるので、アンプ8cにより10倍に増幅してコンパレータ8dに入力するようにしている。
【００７４】
一方、コンパレータ8dにレファレンス電圧として2.5Vを印加しており、したがって、前記した2.5 V の電圧を境にして、この電圧を超えるとモータ駆動停止信号が出力されてギヤドモータＭを停止するものである。
かかる構成とすることにり、例えば施療体２のカバー21が破れたりしていたときに、使用者が誤って指等を指圧用回転体20内に突っ込み巻き込まれたりすると、過電流検出回路７がギヤドモータＭの過電流を検出してギヤドモータM,M が停止することになるので安全である。
【００７５】
また、本実施例では、過電流の検出信号の出力を所定時間遅らせる遅延回路９を設けている。
【００７６】
すなわち、起動直後の突入電流の検出を防止して駆動できなくなるような不具合を防止するためのモータ起動時用の第１遅延回路9aを、過電流検出回路７とタイマー8bとの間に設けるとともに、駆動中にノイズ等で頻繁に停止したりすることのないように、モータ停止時用の第２遅延回路9bをタイマー8bと制御部8aとの間に設けている。
【００７７】
図１９に本マッサージ器Ａのonからoff までのタイムチャートを示している。
【００７８】
図１９(a) は電源スイッチ５でoff した場合を、図１９(b) はタイムアップしてoff した場合を、図１９(c) は過負荷を検出して強制的にoff した場合を示している。
【００７９】
(a) ：電源スイッチ５でoff した場合
電源スイッチ５をonすると(100) 、ギヤドモータＭ及びタイマー8bが駆動開始する。このとき、第１遅延回路9aが作用してマスク信号を出力し、出力時間（本実施例では３秒）内(110) は、突入電流などを検出してもギヤドモータＭは停止することがない。
【００８０】
そして、タイマー8bがカウントを続け(120) 、途中で電源スイッチ５がoff 操作されると(130) 、タイマー8bがクリアされ、(140)、通電が遮断されて(150) ギヤドモータＭが停止する。
【００８１】
(b) ：タイムアップしてoff した場合
電源スイッチ５をonすると(200) 、ギヤドモータＭ及びタイマー8bが駆動開始する。このときも(a) の場合と同様に、第１遅延回路9aが作用してマスク信号を出力し、出力時間（本実施例では３秒）内(210) は突入電流などを検出してもギヤドモータＭは停止しない。
【００８２】
そして、タイマー8bがカウントを続け(220) 、設定時間である15分が経過すると(230) 、タイマー8bのモータ停止信号出力端子(OUT1)から制御部8aのモータ停止信号入力端子(R1)に第２遅延回路9bを介してわずかな時間（本実施例では数ミリsec ）遅延させてタイムアップ信号240 が出力され(250) 、タイマー8bがクリアされて(260)、ギヤドモータＭが停止する(270) 。
【００８３】
(c) ：過負荷を検出して強制的にoff した場合
この場合も、電源スイッチ５をonすると(300) 、ギヤドモータＭ及びタイマー8bが駆動開始するとともに、第１遅延回路9aが作用してマスク信号を出力し、出力時間（本実施例では３秒）内(310) は突入電流などを検出してもギヤドモータＭは停止しない。
【００８４】
そして、タイマー8bがカウントを続け(320) 、中途で２個のギヤドモータＭのいずれか一方、あるいは両方に過負荷が発生すると、これを過電流検出回路７が検出して検出信号を出力し(330) 、タイマー8bのモータ停止信号出力端子(OUT1)から制御部8aのモータ停止信号入力端子(R1)に第２遅延回路9bを介してわずかな時間（本実施例では数ミリsec ）遅延させてタイムアップ信号340 が出力されて(350) 、タイマー8bがクリアされるとともに(360)、ギヤドモータＭが停止することになる(370) 。
【００８５】
このように、本実施例に係るマッサージ器Ａは、電源スイッチ５のon操作直後の突入電流等に影響されることなく安定して起動し、さらに、使用中のノイズには影響されることなく、施療体２に加わった過負荷を検出して２個のギヤドモータＭを同時に停止させることができるので、使い勝手を損なうことなく、かつ、安全性を大きく向上させることができる。
【００８６】
また、本マッサージ器Ａに発音手段を設けることもできる。
【００８７】
すなわち、図２０に示すように、電源スイッチ５をonした直後に第１遅延回路9aが作用してマスク信号を出力している時間（本実施例では３秒）には、電子音等を発してマッサージ器Ａの立ち上がり開始を知らせるとともに(400) 、使用時間内においてはメロディが流れるようにしてリラックス感を強め、マッサージ効果をより高めるようにすることができる。
【００８８】
図２０に示したものでは、強弱切換スイッチ６で弱を選択した場合は(410) バラード調の音楽が流れ(420) 、強を選択した場合は(430) ロック調の音楽が流れるようにしている(440) 。
【００８９】
さらに、タイムアップ１分前からは(450) 、「あと１分です。」とか「もうすぐ終わります。」等のように音声で終了が近いことを知らせるようにしている。
【００９０】
なお、図２０において、460 はタイムアップ信号である。
【００９１】
また、このような構成とした場合、深夜等に使用するときのために、発音手段等をoff する機能を備えておくことが好ましい。
【００９２】
なお、上記はあくまでも一例であり、使用状態における発音手段の選択・設定は自由である。例えば、マッサージ器Ａの立ち上がり開始時には、電子音に代えて「開始します。」等の音声で報知するともできる。
【００９３】
また、過電流を検出すると、過電流の大きさに応じたレベルで異常負荷を報知するように構成することもできる。
【００９４】
図２１に示したものでは、ギヤドモータＭにかかった異常負荷の報知を発音手段に加え、発光手段でも行うようにしている。
【００９５】
すなわち、発音手段により、例えば１秒間隔で周期的に発音させたり(500) 、あるいはＬＥＤ等で光を点滅させるようにし(510) 、異常負荷が増大するにしたがって(520) 、音や光の報知周期が例えば0.5 秒間隔となるように漸次短くなるようにするものである(530) 。そして、危険負荷を検知すると(540) 、発音手段は連続音を発し(550) 、発光手段は連続点灯するようにしている(560) 。なお、危険負荷を検知すると、当然ながらギヤドモータＭは停止する。
【００９６】
さらに、本マッサージ器Ａは、上記のような制御を行う他に、過負荷を検出して緊急停止した後は、所定時間起動不可とするように構成することができる。
【００９７】
すなわち, 過電流を検出してタイマー8bを強制的にアップさせてギヤドモータＭを緊急停止させ後は、所定時間は再起動しないように制御するものである。
【００９８】
本実施例では、図２２に示すように、 第２のタイマー8eを設け、緊急停止後はこの第２のタイマー8eが作動し、モータ停止後のｔ秒間（例えば10秒）は、たとえ電源スイッチ５が再度on操作されてもギヤドモータＭが駆動しないようにしている。したがって、使用者が指を施療体２に挟んでしまった場合に、電源スイッチ５を誤操作しても安全である。
【００９９】
また、このときに、本実施例では、図２１に示したように、発音手段及び発光手段は連続報知するようにしている(570) 。なお、音と光とは報知手段としてそれぞれ単独で用いることもできるし、併用しても構わないが、音であれば視覚障害者に、光であれば聴覚障害者にとって有用な報知手段となる。
【０１００】
なお、図２１において、580 はギヤドモータＭが停止するまでの第２遅延回路9bによる数ミリ秒の遅延時間であり、また、図２２において、Ｓは発音手段や発声手段のスピーカである。
【０１０１】
上記してきた本マッサージ器Ａは、図２３〜図２５に示すように、様々な使い方ができる。
【０１０２】
図２３では、椅子Ｃに腰掛けた状態で、背もたれ部C1と使用者との間にマッサージ器Ａを位置させて背中や腰をマッサージしている。 このように、背もたれ部C1を利用することができるので、自動車用の電源アダプタを用いれば、自動車の中でも気軽にマッサージを行える。例えば、長距離運転の場合に、途中の休憩時間等にマッサージすることによって疲労回復すれば、居眠り運転等が防止でき安全運転につながる。
【０１０３】
また、図２４では、首筋のマッサージを行っている。このとき、ケース本体１には、前述した凹部13を設けているために、肩や首の部分にケース本体１の角部が当接することがないので不快感を与えるおそれがない。このように、本マッサージ器Ａは、身体のくびれた箇所をマッサージする場合にも使い勝手がきわめて良好なものとなっている。
【０１０４】
さらに、図２５に示すように、第３者に手伝ってもらってマッサージすることもできる。この場合、コンパクトなケース本体１の左右に把手部10が形成されているので使い勝手がよく、また力も加えやすい。
【０１０５】
本マッサージ器Ａは、上述したように様々な使い方ができるが、使用時のスイッチ操作も行いやすい構成となっている。
【０１０６】
すなわち、図３で示したように、電源スイッチ操作片5aは押しボタン式とする一方、強弱切換スイッチ操作片6aはスライド式として、触れただけでもスイッチの違いが分かるようにして誤操作を防ぎつつ、強弱切換スイッチ操作片6aには、凸片部61を設け、同凸片部61を図２６に示すように、ケース本体１の背方向から上部方向へかけて略Ｌ字状に突設し、ケース本体１の裏面側と側面側との２面側から、すなわち、水平方向からも垂直方向からのいずれからでもスライド操作可能としているので操作性が高まっている。なお、図２６中、14b は基板固定用ボスである。
【０１０７】
ところで、本マッサージ器Ａには、図２７に示すように、ケース本体１の外周全体にわたって滑り止め16' を設けることもできる。この滑り止め16' によって、マッサージ器Ａを床などで支えて使用する場合に、施療部Ｂを中心にマッサージ器Ａの姿勢をどのようにしても安定させることができる。
【０１０８】
また、図２８に示すように、下ケース12の背面に化粧カバーＦを取り付け、ビス17を簡単に取り外せないようにして、施療体２を始めとしてケース本体１を使用者が簡単に分解できないようにすることもできる。また、本実施例に係るマッサージ器Ａは、裏面から多数のビス17によってケース本体１やカバー21の固定用リング22を固定しているので、ビス孔が多くなっているので、これを覆い隠すことで美観が損なわれないようにする効果も有する。さらに、この化粧カバーＦには使用上の注意や使い方、あるいは諸元などを記入する箇所として用いることもできる。
【０１０９】
上述してきたように、本マッサージ器Ａは、コンパクトで使い勝手が良好であり、かつ、きわめて安全性の高いものとなっており、さらに、破れやすい施療体２のカバー21が丈夫で、しかもその取り替え等のメンテナンス性が向上しているので、一般家庭で用いるにきわめて有用なマッサージ器となっている。
【０１１０】
以上、実施例を通して本発明に係るマッサージ器Ａを説明してきたが、本マッサージ器Ａは、実施例で示した形状に限定されるものではなく、ケース本体内に収納した駆動手段により駆動される施療体を具備するマッサージ器において、前記施療体を覆うカバーを取り付け、同カバーを固定手段により固定するとともに、同固定手段を、ケース本体の背面側から着脱可能としたものであれば全て含まれる。
【０１１１】
例えば、ビス固定式に代えて、図２９に示すように、固定用リング22の下縁から下方へ、先端に爪22g'を有する係合片22g を延設し、ケース本体１側に形成した係合部1gに係合するようにしてもよい。爪22g'の係合を解除する場合は、図示するように、マイナスドライバＤや、あるいは特殊工具を用いてケース本体１の裏側からボス14''内に挿通して解除すればよい。
【０１１２】
【発明の効果】
この発明は、以上説明してきたような形態で実施されるもので、ケース本体内に収納した駆動手段により駆動される施療体を具備し、同施療体を覆うカバーを取り付け、同カバーを固定用リングにより固定するとともに、同固定用リングを、ケース本体の背面側から着脱可能としたマッサージ器において、前記ケース本体を、上ケースと下ケースとを接合して形成し、両ケースを接合するためのビスを挿通するボスを下ケースに複数個突設するとともに、これらのうち、一部のボスの高さを、他のボスよりも背高に形成して前記カバーの固定用リングを固定するボスとし、前記固定用リングをケース本体にビスを介して取り付けて、同ビスの着脱をケース本体の裏面側から行えるようにし、しかも、前記固定用リングに形成したビス止め用ボス部を、前記上ケースの施療部に形成したビス挿通部に係合させて回り止めとして機能するようにしたことにより、以下の効果を奏する。
【０１１３】
カバーの固定用リングの着脱がきわめて容易に行えることになり、カバーが破れたりした場合の交換作業がスピーデイに行える等、メンテナンス性が向上する。
【０１１４】
また、カバーの固定用リングをケース本体にビスを介して取り付け、同ビスの着脱をケース本体の裏面側から行えるようにしたことにより、作業性が著しく容易となって、さらにメンナンス性が向上する。
【０１１５】
そして、上ケースと下ケースの接合用のボスであるか、施療体のカバー固定用であるかを容易に識別することができ、カバー取り外し作業等を効率的に行える。
【０１１６】
さらに、固定用リングを固定するボスを、他のボスよりも背高に形成したことにより、モータ等の駆動手段をケース本体内に組み込む場合に邪魔になることがない。
【図面の簡単な説明】
【図１】本発明に係るマッサージ器の平面図である。
【図２】同背面図である。
【図３】同正面図である。
【図４】同側面図である。
【図５】同分解斜視図である。
【図６】図１のＩ−Ｉ線における断面図である。
【図７】図１のスＩＩ−ＩＩ線における断面図である。
【図８】上ケースの裏面を示す説明図である。
【図９】指圧用回転体の平面図である。
【図１０】同断面視による説明図である。
【図１１】カバーの緩めた状態を示す説明図である。
【図１２】同絞った状態を示す説明図である。
【図１３】同カバーの断面を示す説明図である。
【図１４】固定用リングの断面視による説明図である。
【図１５】同固定用リングの裏面図である。
【図１６】スイッチ側基板の回路図である。
【図１７】電源側基板の回路図である。
【図１８】マッサージ器のブロック図である。
【図１９】駆動状態を示すタイムチャートである。
【図２０】報知手段を設けた場合のタイムチャートである。
【図２１】報知手段に発音手段と発光手段とを設けた場合のタイムチャートである。
【図２２】第２のタイマーを具備するマッサージ器のブロック図である。
【図２３】マッサージ器の使用形態を示す説明図である。
【図２４】マッサージ器の使用形態を示す説明図である。
【図２５】マッサージ器の使用形態を示す説明図である。
【図２６】強弱切換スイッチ操作片の説明図である。
【図２７】本マッサージ器の他の形態を示す説明図である。
【図２８】化粧カバーの説明図である。
【図２９】他の実施例に係るマッサージ器の説明図である。
【図３０】従来のマッサージ器の説明図である。
【符号の説明】
Ａ  マッサージ器
Ｍ  ギヤドモータ（駆動手段）
１  ケース本体
２  施療体
21  カバー
22  固定用リング（固定手段）
【図１】
0004531880.tif 000002
【図２】
0004531880.tif 000003
【図３】
0004531880.tif 000004
【図４】
0004531880.tif 000005
【図５】
0004531880.tif 000006
【図６】
0004531880.tif 000007
【図７】
0004531880.tif 000008
【図８】
0004531880.tif 000009
【図９】
0004531880.tif 000010
【図１０】
0004531880.tif 000011
【図１１】
0004531880.tif 000012
【図１２】
0004531880.tif 000013
【図１３】
0004531880.tif 000014
【図１４】
0004531880.tif 000015
【図１５】
0004531880.tif 000016
【図１６】
0004531880.tif 000017
【図１７】
0004531880.tif 000018
【図１８】
0004531880.tif 000019
【図１９】
0004531880.tif 000020
【図２０】
0004531880.tif 000021
【図２１】
0004531880.tif 000022
【図２２】
0004531880.tif 000023
【図２３】
0004531880.tif 000024
【図２４】
0004531880.tif 000025
【図２５】
0004531880.tif 000026
【図２６】
0004531880.tif 000027
【図２７】
0004531880.tif 000028
【図２８】
0004531880.tif 000029
【図２９】
0004531880.tif 000030
【図３０】
0004531880.tif 000031